(57)【要約】【課題】  本発明により、医療行為等の妨げとならずコンパクトで、接触による破損の恐れがない、ガス流量計が一体となった医療用ガス供給設備のガス流量調節器を提供する。【課題を解決するための手段】  本発明に係る医療用ガス供給設備のガス流量調節器は、医療用ガスの圧力を減圧するガス圧力調整器と、医療用ガスの流量を調節するダイヤル式流量調節器と、医療用ガスの流れを目視確認できるインジケータと、ガス圧力減圧器と、ダイヤル式流量調節器と、インジケータを収納するカバーと、を備える、ガス流量調節器である。【選択図】図２
2019084420.tif 000002
【特許請求の範囲】
【請求項１】
医療用ガス供給設備のガス流量調節器であって、
医療用ガスを減圧するガス圧力減圧器と、
医療用ガスの流量を調節するダイヤル式流量調節器と、
医療用ガスの流れを目視確認できるインジケータと、
前記ガス圧力減圧器と、前記ダイヤル式流量調節器と、前記インジケータを収納するカバーと、
を備える、ガス流量調節器。
【請求項２】
前記ダイヤル式流量調節器は、前記カバーの上面に突出して配置されたダイヤルを有し、
前記ダイヤルの前記カバーから突出した部分の前側面に酸素の流量を示す流量目盛が配置されている、請求項１に記載のガス流量調節器。
【請求項３】
前記インジケータは、面積式浮遊型である、請求項１又は２に記載のガス流量調整器。
【請求項４】
前記インジケータは、前記カバーの前側面の下部に開口した開口部の内側に配置されている、請求項３に記載のガス流量調整器。
【請求項５】
前記開口部は、前記カバーの前側面及び両側面に開口している、請求項４に記載のガス流量調節器。
【発明の詳細な説明】
【技術分野】
【０００１】
本発明は、病室壁面に設けられた医療用ガス供給口に取り付けられ、所定流量のガスを加湿器などの医療器材を介して患者に供給する医療用ガス供給設備のガス流量調整器に関するものである。
【背景技術】
【０００２】
病院等の医療現場において、酸素やエアー等のガスが医療用ガスとして用いられ、医療用ガス供給設備により患者に供給されている。
【０００３】
例えば特許文献１には、医療用ガスが、ガス供給源からガス配管を介して各病室の壁に設けられたガス取出口に供給され、病室内のガス取出口からガス流量計、ガス流量調節器、加湿器、及びガス供給管を介して吸入マスクに供給され、吸入マスクより看者が医療用ガスを吸気する医療用ガス供給設備が開示されている。しかしながら、ガス取出口から上方へガス流量計が突出していることから、医療従事者がガス流量計に接触する等、医療行為の妨げになるとともに、ガス流量計を破損してしまう問題があった。
【先行技術文献】
【特許文献】
【０００４】
【特許文献１】特開平１０−８２６７１号公報
【発明の概要】
【発明が解決しようとする課題】
【０００５】
本発明は、医療行為等の妨げとならないコンパクトで、接触による破損の恐れがない、ガス流量計が一体となった医療用ガス供給設備のガス流量調節器を提供することを課題とする。
【課題を解決するための手段】
【０００６】
本発明に係る医療用ガス供給設備のガス流量調節器は、
医療用ガスを減圧するガス圧力減圧器と、
医療用ガスの流量を調節するダイヤル式流量調節器と、
医療用ガスの流れを目視確認できるインジケータと、
ガス圧力減圧器と、ダイヤル式流量調節器と、インジケータを収納するカバーと、
を備える、ガス流量調節器である。
【０００７】
本発明に係る医療用ガス吸入器のガス流用調節器であれば、コンパクトな形状であり、医療行為等の妨げとならず、接触によるインジケータの破損の恐れがない。また、ガス圧力減圧器、ダイヤル式流量調節器及びインジケータがカバーに収納されて一体となっていることから、従来のガス流量調節器のように、ガス取出口にガス流量調節器を装着後にガスが流れていることを目視で確認するためのガス流量計をガス流量調節器に取り付ける手間がなく、ワンタッチでガス流量調節器を装着できる。
【０００８】
本発明に係るガス流量調節器のダイヤル式流量調節器は、カバーの上面に突出して配置されたダイヤルを有し、
ダイヤルのカバーから突出した部分の前側面に医療用ガスの流量を示す流量目盛が配置されている、ガス流量調節器である。
【０００９】
本発明に係るガス流量調整器であれば、ガスの流量設定時に手でガスの流量を示す流量目盛を覆い隠すことなく、目視しながら流量を設定することができる。
【００１０】
本発明に係るガス流量調節器のインジケータは、面積式浮遊型である、ガス流量調整器である。
【００１１】
本発明に係るガス流量調節器のインジケータであれば、ガスが流れていることを目視で確認することができる。
【００１２】
また、本発明に係るガス流量調節器のインジケータは、カバーの前側面の下部に開口した開口部の内側に配置されている、ガス流量調整器である。
【００１３】
ガス流量調節器のインジケータが、カバーの前側面の下部に配置されていれば、ガスの流量設定時に手でインジケータを覆い隠すことなく、ガスが流れていることを目視で確認することができる。
【００１４】
本発明に係るガス流量調節器の開口部は、カバーの前側面及び両側面に開口している、ガス流量調節器である。
【００１５】
本発明によれば、インジケータを３方向から視認できる。
【発明の効果】
【００１６】
本発明に係るガス流量調節器であれば、医療行為等の妨げとならずコンパクトで、接触による破損の恐れがない、インジケータが一体となった医療用ガス供給設備のガス流量調節器を提供することができる。
【図面の簡単な説明】
【００１７】
【図１】図１は、本実施形態に係る医療用ガス供給設備のガス流量調節器が装着された医療用ガス供給装置の模式側面図である。
【図２】図２は、本実施形態に係る医療用ガス供給設備のガス流量調節器の外観図である。
【図３】図３は、本実施形態に係る医療用ガス供給設備のガス流量調節器のカバーを外した状態の外観図である。
【発明を実施するための形態】
【００１８】
以下、本発明の一実施形態を、説明する。
【００１９】
図１に、本実施形態に係るガス流量調節器及びこれが装着された医療用ガス供給設備１の構成を示す。医療用ガス供給設備１は、ガス供給源（不図示）、酸素供給ボックス３、ガス流量調整器１０、及び加湿器６からなる。なお、医療用ガスの一例として酸素ガスを示しているが、これに限らず、エアー等のガスであってもよい。
【００２０】
ガス供給源（不図示）は、病室外に配備され、酸素ガスを後述する酸素供給ボックス３に供給する。
【００２１】
酸素供給ボックス３は、病室等の壁面1に取り付けられ、酸素供給源から酸素がガス配管４を介して供給される。酸素供給ボックス３には、上部にガス配管４が設けられ、前面にガス取出口５が設けられている。ガス取出口５にガス流量調節器１０のインレットプラグ１３（図２及び図３参照）を挿入して、ガス流量調節器１０が酸素供給ボックス３に装着されている。
【００２２】
図２に、ガス流量調節器１０の外観を示す。図２の（１）は、正面図であり、（２）は、右側面図である。図３に、ガス流量調節器１０のカバー４０を取り外した状態の外観を示す。図３の（１）は、左上方から見た斜視図であり、（２）は、右上方から見た斜視図である。
【００２３】
ガス流量調節器１０は、カバー４０、ガス圧力減圧器１１、ダイヤル式流量調節器２０、インジケータ３０、及びフレアー５０を備える。
【００２４】
カバー４０は、ガス圧力減圧器１１、ダイヤル式流量調節器２０、インジケータ３０、及びフレアー５０を収納する筐体である。
【００２５】
ガス圧力減圧器１１は、ガス圧力減圧器本体（以下、単に減圧器本体ともいう。）１２とインレットプラグ１３からなる。減圧器本体１２は、供給された酸素ガスを減圧する。インレットプラグ１３は、上述のとおり、減圧器本体１２を酸素供給ボックス３のガス取出口５に装着するための接続部材である。酸素ガスは、ガス取出口５からインレットプラグ１３を介して減圧器本体１２に供給され、その圧力は、例えば、酸素供給ボックス３内での約０．４ＭＰａから０．３ＭＰａに減圧される。
【００２６】
ダイヤル式流量調節器（以下、単に流量調節器ともいう。）２０は、ダイヤル式流量調節器本体（以下、単に流量調節器本体ともいう。）２１、ダイヤル２２、流量目盛２３、及びホース口２４からなる。流量調節器本体２１は、酸素ガスの流量を調節する。流量調節器本体２１は、一端が減圧器本体１２に直接連結されてこれから酸素ガスが供給され、他端にホース口２４を有する。ダイヤル２２は、流量調節器本体２１の上部に設けられ、カバー４０の上部に突き出している。流量目盛２３は、カバー４０から突き出したダイヤル２２の正面（図２の（１）及び図３参照）に設けられている。
【００２７】
流量調節器本体２１に供給された酸素ガスは、ダイヤル２２を手で回転することにより任意の流量に調整され、ホース口２４から流出する。酸素ガスの流量は、例えば、予め設定された０、０．５、１、１．５、２、２．５、３、４、５、６、１０、１５Ｌ／ｍｉｎの流量のいずれかに選択することができる。ダイヤル２２がガス流量調節器１０の上面から突出していると、流量目盛２３が手で覆われることなく、酸素ガスの流量を示す流量目盛２３を目視しながら選定することができる。なお、流量の設定値は、任意であり、これら以外の流量であってもよい。
【００２８】
インジケータ３０は、面積式浮遊型のガス流量のインジケータであり、流量調節器２０の前方（ガス圧力減圧器１１と反対側）の下部に位置し、ゲージ管３１、チューブフィッティング３２、ゲージ管継手３３、及びキャップ３４からなる。ゲージ管３１は、透明な円筒状樹脂製テーパー管からなり、内部に封入された球状体のフロート（不図示）を有する。ゲージ管３１の下端部には、チューブフィッティング３２が連結され、上部の側面に設けられた孔を介して、ゲージ管継手３３に連結し、また、上端部はキャップ３４により密封されている。
【００２９】
流量調節器２０で流量が調節された酸素ガスは、ホース口２４からインジケータ連結ホース（不図示）を介してチューブフィッティング３２に供給され、ゲージ管３１の下部端からゲージ管３１に流入する。ゲージ管３１に流入した酸素ガスは、封入されたフロートを押し上げ、フロートは、押し上げる力とフロートの重さとがバランスした位置で止まり、フロートが止まった位置で、酸素ガスが流れているかを目視確認することができる。更に、酸素ガスは、ゲージ管３１の上部の側面に設けられた孔を介して、ゲージ管継手３３から流出する。
【００３０】
なお、ガス流量のインジケータ３０は、面積式浮遊型に限らず、ガスが流れていることを目視確認できるものであればよい。また、流量調節器２０により設定したガス流量が流れていることから、インジケータ３０では酸素ガスが流れていることが確認できればよい。したがって、インジケータ３０でガス流量を測定する必要はなく、一定量以上のガス流量が流れている場合には、ゲージ管３１の上端にフロートが当接して止まっていてもよく、ゲージ管３１の長さを短くすることができ、ガス流量調節器１０をコンパクトにすることができる。
【００３１】
一方、カバー４０の前面のゲージ管３１が位置する部分には、開口部４１を有し、カバー４０に収納されているゲージ管３１を目視することができる。開口部４１は、ゲージ管３１をガス流量調節器１０の正面及び両側面の３方向からも目視できるように開口していると、ゲージ管内で浮遊するフロート（不図示）の視認性が良好となり、好ましい。また、ゲージ管３１がカバー４０の前面下部に位置することから、酸素ガスの流量をダイヤル２２を操作して選定する際に、手によって覆われ目視することができない、不都合はない。
【００３２】
フレアー５０は、ガス流量調節器１０の下部に設けられており、フレアー５０の一端がカバー４０から突き出している。ゲージ管継手３３から流出した酸素ガスは、フレアー連結ホース（不図示）を介してカバー４０の内部に位置するフレアー５０の他端に設けられたエルボ５１からフレアー５０に供給され、更に、カバー４０から突き出したフレアー４０に連結した加湿器６に供給される。
【００３３】
なお、ガス流量調節器１０により酸素供給ボックス３に供給された酸素ガスは、一定の圧力に減圧され、所定のガス流量に調節された後、ガス流量調節器１０の下面に設けられたフレアー５０（図２及び図３参照）を介して取り付けられた加湿器６に供給される。加湿器６に供給された酸素ガスは、加湿器６内で加湿された後、ガス供給口７からガス供給ホース（不図示）を介して酸素マスク（不図示）に供給され、患者により呼気される。
【産業上の利用可能性】
【００３４】
本発明に係るガス流量調節器であれば、医療行為等の妨げとならずコンパクトで、接触による破損の恐れがない、インジケータが一体となった医療用ガス供給設備のガス流量調節器として好適である。
【符号の説明】
【００３５】
１…医療用ガス供給設備
２…壁面
３…酸素供給ボックス
４…ガス配管
５…ガス取出口
６…加湿器
７…ガス供給口
１０…ガス流量調節器
１１…ガス圧力減圧器
１２…ガス圧力減圧器本体（減圧器本体）
１３…インレットプラグ
２０…ダイヤル式流量調節器（流量調節器）
２１…ダイヤル式流量調節器本体（流量調節器本体）
２２…ダイヤル
２３…流量目盛
２４…ホース口
３０…インジケータ
３１…ゲージ管
３２…チューブフィッティング
３３…ゲージ継手
３４…キャップ
４０…カバー
４１…開口部
５０…フレアー
５１…エルボ
【図１】
2019084420.tif 000003
【図２】
2019084420.tif 000004
【図３】
2019084420.tif 000005